(57)【特許請求の範囲】
【請求項１】
建物に関する異常を検出して、検出した異常に対する処理を行うセキュリティシステムにおいて、
建物に関する状態をセンサ情報として検出するセンサ制御部及び前記センサ情報を無線信号により送信する無線通信部を有するセンサ監視機器と、
前記無線信号を受信する基地局装置と、
前記基地局装置に接続され、前記センサ情報を基に処理を行う監視制御手段を有する管理サーバ装置と、
を備え、
前記センサ監視機器が、センサ監視機器識別のための自機器のセンサ監視機器識別情報を含む登録要求を前記基地局装置に定期的に送信して、
前記基地局装置が、前記登録要求と共に、前記センサ監視機器識別情報と、前記基地局装置を識別するための自機器の基地局識別情報を、前記管理サーバ装置に送信して、
前記管理サーバ装置が、前記センサ監視機器識別情報と前記基地局識別情報の対応付けの記憶を行うことを特徴とするセキュリティシステム。
【請求項２】
前記監視制御手段は、
前記センサ情報と、予め設定されている判定情報とに基づいて、異常に対処する処理を行うか否かの判定を行い、
前記異常に対処する処理を行うと判定した場合、予め設定されている送信先に異常を示す情報を送信することを特徴とする請求項１に記載のセキュリティシステム。
【請求項３】
建物の異常に対処する処理を行うアクチュエータ制御部及び前記アクチュエータ制御部を制御する制御情報を含んだ無線信号を受信する無線通信部を有するアクチュエータ監視機器を備え、
前記監視制御手段は、前記センサ情報と、予め設定されている判定情報とに基づいて、異常に対処する処理を行うか否かの判定を行い、
前記異常に対処する処理を行うと判定した場合、前記アクチュエータ監視機器に向けて制御情報を送信し、
前記基地局装置は、前記制御情報を無線信号として送信し、
前記アクチュエータ監視機器は、前記無線信号を受信し、受信した無線信号に含まれる制御信号によりアクチュエータ制御部を制御する
ことを特徴とする請求項１または２に記載のセキュリティシステム。
【請求項４】
前記監視制御手段は、
前記センサ情報を内部の記憶領域に記録し、新たなセンサ情報が入力される場合、前記内部の記憶領域に記録される前記センサ情報及び前記新たに入力されるセンサ情報の内容に応じて前記異常に対処する処理を行う
ことを特徴とする請求項１から３のいずれか１つに記載のセキュリティシステム。
【請求項５】
前記監視制御手段は、
複数の前記センサ監視機器から送信される複数のセンサ情報と予め設定されている判定情報とに基づいて前記異常に対処する処理を行うか否かを判定する
ことを特徴とする請求項１から４のいずれか１つに記載のセキュリティシステム。
【請求項６】
前記アクチュエータ監視機器が、アクチュエータ監視機器の識別のための自機器のアクチュエータ監視機器識別情報を含む登録要求を前記基地局装置に定期的に送信して、
前記基地局装置では、前記登録要求と共に、前記アクチュエータ監視機器識別情報と、前記基地局装置を識別するための自機器の基地局識別情報を、前記管理サーバ装置に送信して、
前記管理サーバ装置では、前記アクチュエータ監視機器識別情報と前記基地局識別情報の対応付けの記憶を行い、
前記管理サーバ装置において制御信号を送信する際には、該対応付けの記憶に基づき、送信先アクチュエータ監視機器に対応する基地局装置に向けて制御信号を送信する
ことを特徴とする請求項３から５のいずれか１つに記載のセキュリティシステム。
【請求項７】
前記管理サーバ装置は、前記センサ監視機器が存在する所属エリアを記憶する所属エリア記憶手段を有し、
前記管理サーバ装置において前記センサ監視機器からセンサ情報を受信した場合、前記エリア記憶手段に記憶されている所属エリアを基に、前記監視制御手段を選択する
ことを特徴とする請求項１から６のいずれか１つに記載のセキュリティシステム。
【請求項８】
前記基地局装置は、前記センサ監視機器、あるいは前記アクチュエータ監視機器から送信される無線信号の受信強度値を計測して、前記受信強度値を、前記基地局装置を経由して、前記管理サーバ装置に送信を行い、
前記管理サーバ装置は、前記受信強度値を基に、前記センサ監視機器、あるいは前記アクチュエータ監視機器の位置情報を検出する
ことを特徴とする請求項７に記載のセキュリティシステム。
【請求項９】
センサ監視機器と、無線信号を受信し、また、登録要求を基に前記登録要求と共に前記センサ監視機器識別のためのセンサ監視機器識別情報と基地局装置識別のための自機器の基地局識別情報を管理サーバ装置に送信する基地局装置と、前記基地局装置に接続され、建物にて発生した異常に対する処理を行う監視制御手段を有し、また、前記センサ監視機器識別情報と前記基地局識別情報の対応付けの記憶を行なう管理サーバ装置とを備えたセキュリティシステムにおける、建物に関する状態を検出可能な位置に配置されるセンサ監視機器であって、
建物に関する状態をセンサ情報として検出するセンサ制御部と、
前記センサ情報を無線信号により送信する無線通信部と、
を有し、
前記センサ監視機器が、自機器のセンサ監視機器識別情報を含む前記登録要求を前記基地局装置に定期的に送信する、
ことを特徴とするセンサ監視機器。
【請求項１０】
建物に関する状態をセンサ情報として検出するセンサ制御部及び前記センサ情報を無線信号により送信する無線通信部を有するセンサ監視機器と、アクチュエータ監視機器と、前記無線信号を受信し、また、登録要求を基に前記登録要求と共に前記アクチュエータ監視機器識別のためのアクチュエータ監視機器識別情報と基地局装置識別のための自機器の基地局識別情報を管理サーバ装置に送信する基地局装置と、前記基地局装置に接続され、前記建物にて発生した異常に対する処理を行う監視制御手段を有し、また、前記アクチュエータ監視機器識別情報と基地局識別情報の対応付けの記憶を行なう管理サーバ装置とを備えたセキュリティシステムにおける、アクチュエータ監視機器であって、
建物の異常に対処する処理を行うアクチュエータ制御部と、
前記アクチュエータ制御部を制御する制御情報を含んだ無線信号を受信する無線通信部と、
を備え、
前記アクチュエータ監視機器が、自機器のアクチュエータ監視機器識別情報を含む前記登録要求を前記基地局装置に定期的に送信する、
たことを特徴とするアクチュエータ監視機器。
【請求項１１】
建物に関する状態をセンサ情報として検出するセンサ制御部及び前記センサ情報を無線信号により送信する無線通信部を有するセンサ監視機器と、前記無線信号を受信する基地局装置と、前記基地局装置に接続される管理サーバ装置とを備えたセキュリティシステムにおける管理サーバ装置であって、
前記センサ情報を基に、前記建物にて発生した異常に対する処理を行う監視制御手段
を備え、
前記センサ監視機器が前記基地局装置に定期的に送信するセンサ監視機器の識別のための自機器のセンサ監視機器識別情報を含む登録要求を基に、前記基地局装置が前記管理サーバ装置に前記登録要求と共に前記センサ監視機器を識別するセンサ監視機器識別情報と前記基地局装置を識別する自機器の基地局識別情報を送信し、前記管理サーバ装置が前記センサ監視機器識別情報と基地局識別情報の対応付けの記憶を行う、
ことを特徴とする管理サーバ装置。
【請求項１２】
建物に関する状態をセンサ情報として検出するセンサ制御部及び前記センサ情報を無線信号により送信する無線通信部を有するセンサ監視機器と、前記無線信号を受信する基地局装置と、前記基地局装置に接続され、前記建物にて発生した異常に対する処理を行う監視制御手段を有する管理サーバ装置とを備えたセキュリティシステムにおけるセキュリティ方法であって、
前記センサ監視機器が、センサ監視機器の識別のための自機器のセンサ監視機器識別情報を含む登録要求を前記基地局装置に定期的に送信するステップと、
前記基地局装置が、前記センサ監視機器から送付された前記登録要求と共に、前記センサ監視機器識別情報と、基地局装置を識別するための自機器の基地局識別情報を前記管理サーバ装置に送信するステップと、
前記管理サーバ装置が、前記センサ監視機器識別情報と前記基地局識別情報の対応付けの記憶を行うステップと、
前記センサ監視機器が、建物に関する状態をセンサ情報として検出するステップと、
前記センサ監視機器が、検出した前記センサ情報を無線信号により送信するステップと、
前記基地局装置が、前記センサ監視機器から無線信号を受信するステップと、
前記管理サーバ装置が、前記基地局装置が受信した無線信号に含まれる前記センサ情報を基に監視制御手段に処理を行わせるステップと、
を含むことを特徴とするセキュリティ方法。
【請求項１３】
建物に関する状態をセンサ情報として検出するセンサ制御部及び前記センサ情報を無線信号により送信する無線通信部を有するセンサ監視機器と、前記無線信号を受信する基地局装置と、前記基地局装置に接続される管理サーバ装置とを備えたセキュリティシステムにおける管理サーバ装置のコンピュータを、
前記センサ情報を基に、前記建物にて発生した異常に対する処理を行う監視制御手段
として機能させるためのコンピュータプログラムであって、
前記センサ監視機器が前記基地局装置に定期的に送信するセンサ監視機器の識別のための自機器のセンサ監視機器識別情報を含む登録要求を基に、前記基地局装置が前記管理サーバ装置に前記登録要求と共に送信する前記センサ監視機器識別情報と基地局装置を識別するための自機器の基地局識別情報を基に、
前記管理サーバ装置のコンピュータを、前記センサ監視機器識別情報と基地局識別情報の対応付けの記憶を行なわせる手段として機能
させる、
ことを特徴とするコンピュータプログラム。
【発明の詳細な説明】
【技術分野】
【０００１】
本発明は、主に住宅等において異常を監視するためのセキュリティシステム、センサ監視機器、アクチュエータ監視機器、管理サーバ装置、セキュリティ方法及びコンピュータプログラム並びに記録媒体に関する。
【背景技術】
【０００２】
従来、建物、特に住宅等において防犯のために様々な機器を用いて異常を検出するようなホームセキュリティシステムが知られている。このようなセキュリティシステムは、例えば、泥棒が侵入しようとしている際に、光や音で威嚇を行ったり、カメラにより撮影を行ったり、さらに、近隣住民や警備会社へ通報を行うような機能を備えている。また、火災やガス漏れなどの異常の検出を行う機能や、緊急や救急を要する事態を通報するための機能なども備えている（例えば、特許文献１、特許文献２参照）。
【０００３】
このような従来のセキュリティシステムの一般的な構成は、ガス漏れや火災等の異常を検出するためのセンサや警報ブザー等を報知するアクチュエータなどの監視機器と、これらの監視機器を制御するための主装置を住宅内に設置し、これらの監視機器と主装置とを接続する構成となっている。
【特許文献１】特開２００１−１２６１７３号公報
【特許文献２】特開平８−２７３０７５号公報
【発明の開示】
【発明が解決しようとする課題】
【０００４】
しかしながら、従来のセキュリティシステムでは、上述したように住宅内に必ず主装置を配置して、主装置と各監視機器とを接続する必要があり、適切な監視を行うためには、住宅の構造ごとに、配置や接続を検討するために多くの時間を要するという問題がある。
【０００５】
また、監視機器の数や種類は主装置の仕様に依存しているために、住宅内の構造により主装置のサイズや仕様が制限されてしまうと、それに伴って監視機器の数や種類が制限されてしまうという問題がある。
【０００６】
また、住宅の大きさや構造、住人の生活パターンや好みの違いにより、適切な監視機器の数や種類、配置や動作は異なるが、全てに適した主装置を作成するのは困難であり、また多くのコストを要する。さらに、一度、住宅内に主装置や監視機器を設置してしまうと、そのインタフェースの数や種類、あるいは記憶容量の大きさ等が固定的であるために、その後の住宅内の構成や住人の生活パターンや好みの変化に合わせて、柔軟に配置の変更や機能の追加、変更などをすることができないという問題がある。
【０００７】
本発明は、上記問題を解決すべくなされたもので、その目的は、住宅等の建物内の構造等に依存せずに監視機器の配置や変更を行うことができ、さらに柔軟に機能の追加等を図ることができるセキュリティシステム、センサ監視機器、アクチュエータ監視機器、管理サーバ装置、セキュリティ方法及びコンピュータプログラム並びに記録媒体を提供することにある。
【課題を解決するための手段】
【０００８】
上記問題を解決するために、本発明は、建物に関する異常を検出して、検出した異常に対する処理を行うセキュリティシステムにおいて、建物に関する状態をセンサ情報として検出するセンサ制御部及び前記センサ情報を無線信号により送信する無線通信部を有するセンサ監視機器と、前記無線信号を受信する基地局装置と、前記基地局装置に接続され、前記センサ情報を基に処理を行う監視制御手段を有する管理サーバ装置と、を備え、前記センサ監視機器が、センサ監視機器識別のための自機器のセンサ監視機器識別情報を含む登録要求を前記基地局装置に定期的に送信して、前記基地局装置が、前記登録要求と共に、前記センサ監視機器識別情報と、前記基地局装置を識別するための自機器の基地局識別情報を、前記管理サーバ装置に送信して、前記管理サーバ装置が、前記センサ監視機器識別情報と前記基地局識別情報の対応付けの記憶を行うことを特徴とするセキュリティシステムである。
【０００９】
また、本発明は、上記に記載の発明において、前記監視制御手段は、前記センサ情報と、予め設定されている判定情報とに基づいて、異常に対処する処理を行うか否かの判定を行い、前記異常に対処する処理を行うと判定した場合、予め設定されている送信先に異常を示す情報を送信することを特徴とする。
【００１０】
また、本発明は、上記に記載の発明において、建物の異常に対処する処理を行うアクチュエータ制御部及び前記アクチュエータ制御部を制御する制御情報を含んだ無線信号を受信する無線通信部を有するアクチュエータ監視機器を備え、前記監視制御手段は、前記センサ情報と、予め設定されている判定情報とに基づいて、異常に対処する処理を行うか否かの判定を行い、前記異常に対処する処理を行うと判定した場合、前記アクチュエータ監視機器に向けて制御情報を送信し、前記基地局装置は、前記制御情報を無線信号として送信し、前記アクチュエータ監視機器は、前記無線信号を受信し、受信した無線信号に含まれる制御信号によりアクチュエータ制御部を制御することを特徴とする。
【００１１】
また、本発明は、上記に記載の発明において、前記監視制御手段は、前記センサ情報を内部の記憶領域に記録し、新たなセンサ情報が入力される場合、前記内部の記憶領域に記録される前記センサ情報及び前記新たに入力されるセンサ情報の内容に応じて前記異常に対処する処理を行うことを特徴とする。
【００１２】
また、本発明は、上記に記載の発明において、前記監視制御手段は、複数の前記センサ監視機器から送信される複数のセンサ情報と予め設定されている判定情報とに基づいて前記異常に対処する処理を行うか否かを判定することを特徴とする。
【００１３】
また、本発明は、上記に記載の発明において、前記アクチュエータ監視機器が、アクチュエータ監視機器の識別のための自機器のアクチュエータ監視機器識別情報を含む登録要求を前記基地局装置に定期的に送信して、前記基地局装置では、前記登録要求と共に、前記アクチュエータ監視機器識別情報と、前記基地局装置を識別するための自機器の基地局識別情報を、前記管理サーバ装置に送信して、前記管理サーバ装置では、前記アクチュエータ監視機器識別情報と前記基地局識別情報の対応付けの記憶を行い、前記管理サーバ装置において制御信号を送信する際には、該対応付けの記憶に基づき、送信先アクチュエータ監視機器に対応する基地局装置に向けて制御信号を送信することを特徴とする。
【００１４】
また、本発明は、上記に記載の発明において、前記管理サーバ装置は、前記センサ監視機器が存在する所属エリアを記憶する所属エリア記憶手段を有し、前記管理サーバ装置において前記センサ監視機器からセンサ情報を受信した場合、前記エリア記憶手段に記憶されている所属エリアを基に、前記監視制御手段を選択することを特徴とする。
【００１５】
また、本発明は、上記に記載の発明において、前記基地局装置は、前記センサ監視機器、あるいは前記アクチュエータ監視機器から送信される無線信号の受信強度値を計測して、前記受信強度値を、前記基地局装置を経由して、前記管理サーバ装置に送信を行い、前記管理サーバ装置は、前記受信強度値を基に、前記センサ監視機器、あるいは前記アクチュエータ監視機器の位置情報を検出することを特徴とする。
【００１６】
また、本発明は、センサ監視機器と、無線信号を受信し、また、登録要求を基に前記登録要求と共に前記センサ監視機器識別のためのセンサ監視機器識別情報と基地局装置識別のための自機器の基地局識別情報を管理サーバ装置に送信する基地局装置と、前記基地局装置に接続され、建物にて発生した異常に対する処理を行う監視制御手段を有し、また、前記センサ監視機器識別情報と前記基地局識別情報の対応付けの記憶を行なう管理サーバ装置とを備えたセキュリティシステムにおける、建物に関する状態を検出可能な位置に配置されるセンサ監視機器であって、建物に関する状態をセンサ情報として検出するセンサ制御部と、前記センサ情報を無線信号により送信する無線通信部と、を有し、前記センサ監視機器が、自機器のセンサ監視機器識別情報を含む前記登録要求を前記基地局装置に定期的に送信する、ことを特徴とするセンサ監視機器である。
【００１７】
また、本発明は、建物に関する状態をセンサ情報として検出するセンサ制御部及び前記センサ情報を無線信号により送信する無線通信部を有するセンサ監視機器と、アクチュエータ監視機器と、前記無線信号を受信し、また、登録要求を基に前記登録要求と共に前記アクチュエータ監視機器識別のためのアクチュエータ監視機器識別情報と基地局装置識別のための自機器の基地局識別情報を管理サーバ装置に送信する基地局装置と、前記基地局装置に接続され、前記建物にて発生した異常に対する処理を行う監視制御手段を有し、また、前記アクチュエータ監視機器識別情報と基地局識別情報の対応付けの記憶を行なう管理サーバ装置とを備えたセキュリティシステムにおける、アクチュエータ監視機器であって、建物の異常に対処する処理を行うアクチュエータ制御部と、前記アクチュエータ制御部を制御する制御情報を含んだ無線信号を受信する無線通信部と、を備え、前記アクチュエータ監視機器が、自機器のアクチュエータ監視機器識別情報を含む前記登録要求を前記基地局装置に定期的に送信する、たことを特徴とするアクチュエータ監視機器である。
【００１８】
また、本発明は、建物に関する状態をセンサ情報として検出するセンサ制御部及び前記センサ情報を無線信号により送信する無線通信部を有するセンサ監視機器と、前記無線信号を受信する基地局装置と、前記基地局装置に接続される管理サーバ装置とを備えたセキュリティシステムにおける管理サーバ装置であって、前記センサ情報を基に、前記建物にて発生した異常に対する処理を行う監視制御手段を備え、前記センサ監視機器が前記基地局装置に定期的に送信するセンサ監視機器の識別のための自機器のセンサ監視機器識別情報を含む登録要求を基に、前記基地局装置が前記管理サーバ装置に前記登録要求と共に前記センサ監視機器を識別するセンサ監視機器識別情報と前記基地局装置を識別する自機器の基地局識別情報を送信し、前記管理サーバ装置が前記センサ監視機器識別情報と基地局識別情報の対応付けの記憶を行う、ことを特徴とする管理サーバ装置である。
【００１９】
また、本発明は、建物に関する状態をセンサ情報として検出するセンサ制御部及び前記センサ情報を無線信号により送信する無線通信部を有するセンサ監視機器と、前記無線信号を受信する基地局装置と、前記基地局装置に接続され、前記建物にて発生した異常に対する処理を行う監視制御手段を有する管理サーバ装置とを備えたセキュリティシステムにおけるセキュリティ方法であって、前記センサ監視機器が、センサ監視機器の識別のための自機器のセンサ監視機器識別情報を含む登録要求を前記基地局装置に定期的に送信するステップと、前記基地局装置が、前記センサ監視機器から送付された前記登録要求と共に、前記センサ監視機器識別情報と、基地局装置を識別するための自機器の基地局識別情報を前記管理サーバ装置に送信するステップと、前記管理サーバ装置が、前記センサ監視機器識別情報と前記基地局識別情報の対応付けの記憶を行うステップと、前記センサ監視機器が、建物に関する状態をセンサ情報として検出するステップと、前記センサ監視機器が、検出した前記センサ情報を無線信号により送信するステップと、前記基地局装置が、前記センサ監視機器から無線信号を受信するステップと、前記管理サーバ装置が、前記基地局装置が受信した無線信号に含まれる前記センサ情報を基に監視制御手段に処理を行わせるステップと、を含むことを特徴とするセキュリティ方法である。
【００２０】
また、本発明は、建物に関する状態をセンサ情報として検出するセンサ制御部及び前記センサ情報を無線信号により送信する無線通信部を有するセンサ監視機器と、前記無線信号を受信する基地局装置と、前記基地局装置に接続される管理サーバ装置とを備えたセキュリティシステムにおける管理サーバ装置のコンピュータを、前記センサ情報を基に、前記建物にて発生した異常に対する処理を行う監視制御手段として機能させるためのコンピュータプログラムであって、前記センサ監視機器が前記基地局装置に定期的に送信するセンサ監視機器の識別のための自機器のセンサ監視機器識別情報を含む登録要求を基に、前記基地局装置が前記管理サーバ装置に前記登録要求と共に送信する前記センサ監視機器識別情報と基地局装置を識別するための自機器の基地局識別情報を基に、前記管理サーバ装置のコンピュータを、前記センサ監視機器識別情報と基地局識別情報の対応付けの記憶を行なわせる手段として機能させるためのコンピュータプログラムである。
【発明の効果】
【００２２】
この発明によれば、セキュリティシステムは、建物に関する状態をセンサ情報として検出するセンサ制御部及びセンサ情報を無線信号により送信する無線通信部を有するセンサ監視機器と、無線信号を受信する基地局装置と、基地局装置に接続され、センサ情報を基に処理を行う監視制御手段を有する管理サーバ装置とを備える構成とした。これにより、センサ監視機器が検出したセンサ情報は無線信号にて管理サーバ装置に送信されるため、センサ監視機器を容易に配置、再配置することができる。また、管理サーバ装置において当該センサ情報に基づいて異常の有無を判定し、回避する処理を監視制御手段に実行させることができる。また、異常の有無を判定して回避するための機能について追加変更する場合に、監視制御手段の追加変更を行うだけで容易に実現することができる。そのため、新しいセンサ監視機器の追加や既存センサ監視機器との交換も容易に行うことができる。
【００２３】
また、本発明によれば、セキュリティシステムに係る監視制御手段は、センサ情報と、予め設定されている判定情報とに基づいて、異常に対処する処理を行うか否かの判定を行い、異常に対処する処理を行うと判定した場合、予め設定されている送信先に異常を示す情報を送信する構成とした。これにより、センサ監視機器が異常情報を検出した場合に、異常を示す情報を送信することが可能となり、ユーザや警備員に対して異常の発生を報せることが可能となる。
【００２４】
また、本発明によれば、セキュリティシステムにおいて、建物の異常に対処する処理を行うアクチュエータ制御部及びアクチュエータ制御部を制御する制御情報を含んだ無線信号を受信する無線通信部を有するアクチュエータ監視機器を備え、監視制御手段は、センサ情報と、予め設定されている判定情報とに基づいて、異常に対処する処理を行うか否かの判定を行い、異常に対処する処理を行うと判定した場合、アクチュエータ監視機器に向けて制御情報を送信し、基地局装置は、制御情報を無線信号として送信し、アクチュエータ監視機器は、無線信号を受信し、受信した無線信号に含まれる制御信号によりアクチュエータ制御部を制御する構成とした。これにより、アクチュエータ監視機器を容易に配置、再配置することができる。また、回避するための機能の追加変更を監視制御手段及びアクチュエータ監視機器の追加変更を行うだけで容易に実現することができる。そのため、新しいアクチュエータ監視機器の追加や既存アクチュエータ監視機器との交換も容易に行うことができる。
【００２５】
また、本発明によれば、セキュリティシステムに係る監視制御手段は、センサ情報を内部の記憶領域に記録し、新たなセンサ情報が入力される場合、内部の記憶領域に記録されるセンサ情報及び新たに入力されるセンサ情報の内容に応じて異常に対処する処理を行う構成とした。これにより、過去に検出されたセンサ情報の傾向に基づいて異常を回避する処理を行うか否かを判定することが可能となる。
【００２６】
また、本発明によれば、セキュリティシステムに係る監視制御手段は、複数のセンサ監視機器から送信される複数のセンサ情報と予め設定されている判定情報とに基づいて異常に対処する処理を行うか否かを判定する構成とした。これにより、複数のセンサ監視機器から検出されたセンサ情報に基づいて異常を回避する処理を行うことができることから処理実行の判定基準の精度を高めることが可能となる。
【００２７】
また、本発明によれば、セキュリティシステムにおいて、センサ監視機器から登録要求を基地局装置に送信して、基地局装置では、登録要求と共にセンサ監視機器を識別するセンサ監視機器識別情報と、基地局装置を識別する基地局識別情報を、管理サーバ装置に送信して、管理サーバ装置では、センサ監視機器識別情報と基地局識別情報の対応付けの記憶を行い、管理サーバ装置において制御信号を送信する際には、センサ情報を発出したセンサ監視機器に対応する基地局装置に向けて送信する構成とした。これにより、どの基地局装置にセンサ監視機器、あるいはアクチュエータ監視機器が存在しているかを記録しておくことができ、異常を回避する処理を行う際に、センサ通知情報送信元のセンサ監視機器の存在場所と、アクチュエータ監視機器群の存在場所に基づいて、回避するために操作すべきアクチュエータ監視機器を選択することができ、さらに選択したアクチュエータ監視機器に送信するための制御情報を特定の基地局装置に送信することが可能となる。
【００２８】
また、本発明によれば、セキュリティシステムにおいて、管理サーバ装置は、センサ監視機器が存在する所属エリアを記憶する所属エリア記憶手段を有し、管理サーバ装置においてセンサ監視機器からセンサ情報を受信した場合、エリア記憶手段に記憶されている所属エリアを基に、監視制御手段を選択する構成とした。これにより、予め定められたエリア内に存在するセンサ監視機器によって検出されたセンサ情報に対して、当該エリアに予め対応付けられたアクチュエータ監視機器のアクチュエータ制御部を起動させて異常を回避させることが可能となる。
【００２９】
また、本発明によれば、セキュリティシステムにおいて、センサ監視機器、あるいはアクチュエータ監視機器は、基地局装置から送信される無線信号の受信強度値を計測して、受信強度値を、基地局装置を経由して、管理サーバ装置に送信を行い、管理サーバ装置は、受信強度値を基に、センサ監視機器、あるいはアクチュエータ監視機器の位置情報を検出する構成とした。これにより、センサ監視機器及びアクチュエータ監視機器から送信される無線信号に基づいて絶対的な位置情報を記録しておくことができるため、予めエリアに対応するアクチュエータ監視機器を設定しておく必要なく、エリア内に存在するセンサ監視機器を中心として一定の距離の範囲内に存在するアクチュエータ監視機器のアクチュエータ制御部を起動させることが可能となる。
【００３０】
また、本発明によれば、センサ監視機器は、建物に関する状態をセンサ情報として検出するセンサ制御部と、前記センサ情報を無線信号により送信する無線通信部とを備える構成とした。これにより、センサ監視機器が検出したセンサ情報は無線信号にて送信されるため、センサ監視機器を容易に配置、変更することが可能となる。
【００３１】
また、本発明によれば、アクチュエータ監視機器は、建物の異常に対処する処理を行うアクチュエータ制御部と、アクチュエータ制御部を制御する制御情報を含んだ無線信号を受信する無線通信部とを備える構成とした。これにより、送信される無線信号によりアクチュエータ制御部を起動させることができるため、アクチュエータ監視機器を容易に配置、変更することが可能となる。
【００３２】
また、本発明によれば、管理サーバ装置は、センサ監視機器が検出するセンサ情報を基に、前記建物にて発生した異常に対する処理を行う監視制御手段を備える構成とした。これにより、センサ監視機器が検出したセンサ情報は無線信号にて管理サーバ装置に送信され、管理サーバ装置は、当該センサ情報に基づいて異常を回避する処理を監視制御手段に実行させることができ、さらに、異常を回避するための機能を追加変更する場合であっても、監視制御手段を追加変更するだけで容易に行うことが可能となる。
【発明を実施するための最良の形態】
【００３３】
以下、本発明の実施形態を図面を参照して説明する。
（第１実施形態）
図１は、本発明の第１実施形態に係るセキュリティシステム１を示す概略ブロック図である。セキュリティシステム１は、建物、例えば、住宅の宅内１００に設置されるセンサ監視機器１０と、アクチュエータ監視機器２０と、これらの監視機器との間で無線信号を中継する基地局装置５０と、監視機器から送信される情報に基づいて宅内１００にて発生した異常を検出し、当該異常を回避するための処理を行う管理サーバシステム２００とを備えている。
【００３４】
セキュリティシステム１における通信方式は、例えば、インターネットや、携帯電話通信事業者が運営する無線データ通信ネットワークや、多量の端末との間で小容量のデータの無線信号を送受信するために好適な以下の参考文献に示される広域ユビキタスネットワーク等の無線ネットワークが組み合わせたものが適用されることになる（参考文献：斎藤洋、梅比良正弘、守倉正博、広域ユビキタスネットワークインフラストラクチャに向けた考察、電子情報通信学会論文誌Ｂ、Vol.J88-B,No.11,pp2128-2136,（社）電子情報通信学会 2005）。
【００３５】
セキュリティシステム１において、センサ監視機器１０及びアクチュエータ監視機器２０には、予め一意に識別可能なＩＤ（IDentifier）が付与されている。センサ監視機器１０は、センサ制御部１１と無線通信部１２とを備えている。センサ制御部１１は、内部に周囲の状態を検出するためのセンサを備えており、当該センサが計測する値が、予め内部に定められる閾値を超えた場合、異常と判定し当該値を異常情報として出力する。
【００３６】
なお、当該センサ監視機器１０においては、センサにて異常であるか否かを判定せずに、定期的に計測し、計測したセンサ情報を出力する、あるいはさらに計測値に変化があったときのみ、変化のあった時点でのセンサ情報を出力する、閾値を超えたときのみ計測したセンサ情報を出力するといった予め設定された動作方式に従ってセンサ情報を出力するというように構成することも可能である。この場合、センサ情報を受信した管理サーバシステム２００側にて、センサ情報が異常であるか否かを判定し、判定により異常と判定されたセンサ情報が異常情報として処理されることになる。
【００３７】
また、当該センサ監視機器１０の動作方式として、管理サーバシステム２００側から要求があった場合にのみセンサ情報を出力することも可能である。これにより、管理サーバシステム２００が必要とするときのみセンシング処理、通信処理を行えば良くなり、無駄な処理を抑えることができるようになる。
【００３８】
無線通信部１２は、定期的に自機器のＩＤを含む登録要求情報を無線信号にて基地局装置５０を介して管理サーバシステム２００に送信し、センサ制御部１１から異常情報が出力されると、当該異常情報と自機器のＩＤを含む異常通知情報を無線信号にて基地局装置５０を介して管理サーバシステム２００に送信する。ここで、異常情報とは、例えば、内部に備えられるセンサが火災センサである場合、火災の際に発生する煙や熱の変化量が異常情報となる。また、センサが扉の開閉を検索するマグネットセンサ等の場合、開いている状態と、閉じている状態を示す情報が異常情報となる。
【００３９】
アクチュエータ監視機器２０は、アクチュエータ制御部２１と無線通信部２２とを備えている。無線通信部２２は、定期的に自機器のＩＤを含む登録要求情報を無線信号にて基地局装置５０を介して管理サーバシステム２００に送信する。また、アクチュエータ監視機器２０は、基地局装置５０から送信される無線信号を受信し、受信した無線信号に含まれるＩＤが自機器のＩＤである場合、無線信号に含まれる制御情報を読み出してアクチュエータ制御部２１に入力する。アクチュエータ制御部２１は、無線通信部２２から入力される制御情報に基づいて起動する。具体的には、アクチュエータ制御部２１の内部に備えられるアクチュエータ、例えば、スイッチの駆動装置の駆動を開始させ、スイッチをＯＮ状態、あるいはＯＦＦ状態に切り替える動作を行う。
【００４０】
基地局装置５０は、予め一意に識別可能な基地局装置アドレスが付与され、複数の宅内に設置されたセンサ監視機器１０やアクチュエータ監視機器２０との間で無線信号による通信を行う。
【００４１】
基地局装置５０において、無線通信部５１は、センサ監視機器１０の無線通信部１２から送信される無線信号を受信し、受信した無線信号に含まれる情報を通信部５２に入力する。また、無線通信部５１は、通信部５２から情報が入力されると当該情報を含む無線信号を送信する。通信部５２は、管理サーバシステム２００の無線通信管理サーバ装置６０に接続され、無線通信部５１から情報が入力されると、入力される情報に自らの基地局装置アドレスを付加して無線通信管理サーバ装置６０に送信する。また、通信部５２は、無線通信管理サーバ装置６０から送信される情報を無線通信部５１に入力する。
【００４２】
管理サーバシステム２００は、センサ監視機器１０が検出した宅内１００の異常を示す異常情報に基づいて、当該異常を回避するための処理を行うシステムであり、無線通信管理サーバ装置６０とセキュリティ管理サーバ装置７０とを備える。
【００４３】
管理サーバシステム２００において、無線通信管理サーバ装置６０は、主に通信の送信先を示す経路情報等を管理する装置であり、通信選択部６１と、基地局装置アドレス記憶部６２と、セキュリティ管理サーバ装置アドレス記憶部６３とを備えている。セキュリティ管理サーバ装置アドレス記憶部６３は、図３（ｂ）に示すようなデータ構成を有しており、予めセンサ監視機器１０やアクチュエータ監視機器２０に付与されているＩＤと、セキュリティ管理サーバ装置７０に付与されているＩＰ(Internet Protocol)アドレス等のアドレスとを対応付けて記憶する。
【００４４】
なお、図１では、１つのセキュリティ管理サーバ装置７０は１つしか示されていないが、複数存在していてもよく、その場合、セキュリティ管理サーバ装置アドレス記憶部６３は、ＩＤごとに対応するセキュリティ管理サーバ装置７０のアドレスを記憶することになる。
【００４５】
通信選択部６１は、一方で基地局装置５０の通信部５２に接続されており、他方でセキュリティ管理サーバ装置７０の通信選択部７１に接続されている。また、通信選択部６１は、通信部５２からセンサ監視機器１０あるいはアクチュエータ監視機器２０に付与されているＩＤを含む登録要求情報と基地局装置５０の基地局装置アドレスとが対応付けられる情報を受信した場合、図３（ａ）に示すデータ構成を有する基地局装置アドレス記憶部６２に登録要求情報に含まれるＩＤと基地局装置アドレスとを対応付けて記録する。また、通信選択部６１は、異常情報を含む異常通知情報を基地局装置５０の通信部５２から受信した場合、当該異常通知情報に含まれる送信元のセンサ監視機器１０のＩＤに対応するセキュリティ管理サーバ装置アドレスをセキュリティ管理サーバ装置アドレス記憶部６３から読み出し、読み出したセキュリティ管理サーバ装置アドレスに異常通知情報を送信する。
【００４６】
なお、図１では、基地局装置５０は１つしか示されていないが、複数存在していてもよく、その場合、基地局装置アドレス記憶部６２には、ＩＤごとに異なる基地局装置アドレスが記録されることになる。
【００４７】
管理サーバシステム２００において、セキュリティ管理サーバ装置７０は、センサ監視機器１０が検出した宅内１００の異常を示す異常情報に基づいて、当該異常を回避する処理を行う装置であり、通信選択部７１と、対応機能記憶部７２と、センサ監視機器１０に対応付けて備えられる複数の監視制御部７５−１〜７５−ｎとを備えている。対応機能記憶部７２は、図３（ｃ）に示すデータ構成を有しており、予めセンサ監視機器１０のＩＤと、当該センサ監視機器１０に対応して備えられる監視制御部７５−１〜７５−ｎの参照情報とを対応付けて記憶する。ここで、参照情報とは、例えば監視制御部７５−１〜７５−ｎが、コンピュータプログラムにより構成されるような場合には、当該コンピュータプログラムが動作しているプロセスと通信を行うためのＴＣＰ(Transmission Control Protocol)のポート番号の組み合わせの情報等が適用されることになる。また、１つのセンサ監視機器１０に対して複数の監視制御部７５−１〜７５−ｎが対応付けられていてもよく、その場合、１つのＩＤに対して複数の参照情報を予め記憶することになる。
【００４８】
通信選択部７１は、無線通信管理サーバ装置６０の通信選択部６１に接続され、無線通信管理サーバ装置６０の通信選択部６１から送信される異常通知情報を受信し、受信した異常通知情報に含まれるＩＤに対応する監視制御部７５−１〜７５−ｎの参照情報を対応機能記憶部７２から読み出し、読み出した参照情報の監視制御部７５−１〜７５−ｎに異常通知情報を送信する。また、通信選択部７１は、監視制御部７５−１〜７５−ｎから情報を受信した場合、受信した情報を無線通信管理サーバ装置６０の通信選択部６１に送信する。
【００４９】
監視制御部７５−１〜７５−ｎは、それぞれ一意に識別可能な参照情報が付与されており、センサ監視機器１０に対応付けて備えられ、通信選択部７１から受信する異常通知情報に含まれるセンサ監視機器１０が検出した異常情報に基づいて、異常を示す情報をユーザや警備員などへ通知する処理や、センサ監視機器１０が備えるセンサが例えばガスセンサである場合、ガスの元栓を開閉するガス元栓スイッチをアクチュエータとして有するアクチュエータ監視機器２０を起動させる処理を行う。
【００５０】
ここで、センサ監視機器１０の具体例を、図２を参照して説明する。図２は、一般的な住宅の宅内に設置されるセンサ監視機器１０に備えられるセンサの例を示した図である。マグネットセンサ１１１は、扉や窓の開閉状態を検出するセンサである。金庫センサ１１２は、金庫の破壊や持ち去りの状態を検出するセンサである。空間センサ１１３は、人体から発生する赤外線を検出するセンサである。ガスセンサ１１４は、ガス漏れを検出するセンサである。ジャロジーセンサ１１５は、浴室などの特殊な構成の窓のこじ開けを検出するセンサである。フェンスセンサ１１７は、フェンスからの侵入者の有無を検出するセンサである。火災センサ１１８は、火災の際に発生する煙や熱の変化量を検出するセンサである。赤外線センサ１２０は、赤外線対向上の遮断物の有無を検出するセンサである。ガラスセンサ１２１は、ガラスの破壊を検出するセンサである。救急通報ボタン１１６は、自律的に周囲の状態を検出しないが、住宅内の人が体の具合が悪くなった際にボタンが押下されると、押下されたことを検出するセンサである。また、非常通報ボタン１１９も、自律的に周囲の状態を検出しないが、非常状態の際にボタンが押下されると、押下されたことを検出するセンサである。
【００５１】
なお、アクチュエータ監視機器２０の具体例としては、ガスコンロのガス元栓に備えつけられ、ガスの元栓を開閉するガス元栓スイッチや、扉や窓の錠前等に備え付けられ、錠前の施錠及び開錠を行う錠前制御スイッチ等がある。
【００５２】
次に、図４から図８を参照して、第１実施形態のセキュリティシステム１の処理について説明する。
【００５３】
最初に、図４及び図５を参照して、無線通信管理サーバ装置６０に通信経路を登録するための処理について説明する。図４は、基地局装置５０の処理を示したフローチャートである。上述したようにセンサ監視機器１０の無線通信部１２やアクチュエータ監視機器２０の無線通信部２２は、定期的に自機器のＩＤを含む登録要求情報を無線信号にて送信する。基地局装置５０の無線通信部５１は、当該無線信号を受信する（ステップＳａ１）。無線通信部５１は、受信した無線信号に含まれる登録要求情報を通信部５２に入力する。通信部５２は、入力される登録要求情報に自らの基地局装置アドレスを対応付けて無線通信管理サーバ装置６０に送信する（ステップＳａ２）。
【００５４】
図５は、基地局装置５０から登録要求情報と基地局装置アドレスとを含む情報を受信した無線通信管理サーバ装置６０の処理を示したフローチャートである。
まず、無線通信管理サーバ装置６０の通信選択部６１は、基地局装置５０の通信部５２から登録要求情報と基地局装置アドレスとを含む情報を受信する（ステップＳｂ１）。通信選択部６１は、受信した情報に含まれる登録要求情報に含まれるＩＤと基地局装置アドレスとを対応付けて基地局装置アドレス記憶部６２に記録する（ステップＳｂ２）。
【００５５】
図４及び図５の処理により、無線通信管理サーバ装置６０は、最新のセンサ監視機器１０やアクチュエータ監視機器２０がどの基地局装置５０と通信を行っているかを記録しておくことができ、例えば、アクチュエータ監視機器２０を起動させるための制御情報をどの基地局装置５０に送信してよいかを基地局装置アドレス記憶部６２に記憶される情報に従って検出することが可能となる。
【００５６】
次に、図６から図９を参照してセキュリティ管理サーバ装置７０の処理について説明する。
【００５７】
図６は、センサ監視機器１０が検出した異常情報をセキュリティ管理サーバ装置７０が受信するまでの処理を示したフローチャートである。
最初に、センサ監視機器１０のセンサ制御部１１のセンサが異常情報を検出し、無線通信部１２が当該異常情報とセンサ監視機器１０のＩＤとを含む異常通知情報を無線信号にて送信する（ステップＳｃ１）。当該無線信号は基地局装置５０の無線通信部５１により受信され、無線通信部５１は、無線信号に含まれる異常通知情報を通信部５２に入力する。通信部５２は、異常通知情報を無線通信管理サーバ装置６０の通信選択部６１に送信する（ステップＳｃ２）。無線通信管理サーバ装置６０の通信選択部６１は、受信した異常通知情報からＩＤを読み出し、読み出したＩＤに対応するセキュリティ管理サーバ装置７０のアドレスをセキュリティ管理サーバ装置アドレス記憶部６３から読み出す（ステップＳｃ３）。そして、通信選択部６１は、読み出したアドレスに対応するセキュリティ管理サーバ装置７０に異常通知情報を送信する（ステップＳｃ４）。
【００５８】
図７は、図１に示した監視制御部７５−１に関連する処理を示したフローチャートである。監視制御部７５−１は、図１に示すように内部の記憶領域に予め電子メールアドレスの情報と閾値とを記憶している。
【００５９】
上記の図６の処理によりセキュリティ管理サーバ装置７０の通信選択部７１は、無線通信管理サーバ装置６０の通信選択部６１から異常通知情報を受信する。そして、通信選択部７１は、異常通知情報に含まれるＩＤを読み出し、読み出したＩＤに対応する監視制御部７５−１〜７５−ｎの参照情報を対応機能記憶部７２から読み出す。ここでは、監視制御部７５−１の参照情報が読み出されることになる。そして、通信選択部７１は、監視制御部７５−１へ異常通知情報を送信する。監視制御部７５−１は、異常通知情報を受信すると（ステップＳｄ１）、異常通知情報に含まれる異常情報が示す値が内部に記憶している閾値を超えているか否かを判定する（ステップＳｄ２）。監視制御部７５−１は、異常情報が示す値が内部に記憶している閾値を超えている場合、予め内部の記憶領域に記憶している電子メールアドレスを送信先として異常を示す情報を含む電子メールを送信する（ステップＳｄ３）。一方、監視制御部７５−１は、異常情報が示す値が内部に記憶している閾値を超えていない場合、そのまま終了する。
【００６０】
なお、電子メールにて送信する異常を示す情報には、送信元のセンサ監視機器１０のＩＤ、あるいはＩＤに対応付けられている宅内１００での位置を示す情報及びＩＤが示すセンサ監視機器１０の種別等の情報を含むようにしてもよい。
【００６１】
また、電子メールにて送信するのではなく、外部のプログラム等を起動させて、画面に異常を示す情報を表示させたり、セキュリティ管理サーバ装置７０に接続される警報ブザーを鳴動させたりするようにしてもよい。
【００６２】
上記の処理により、電子メールの送信先をユーザあるいは警備員にしておくことで、ユーザや警備員は迅速に異常を回避するための措置をとることが可能となる。
【００６３】
図８は、図１に示す監視制御部７５−２の処理を示したフローチャートである。監視制御部７５−２は、図１に示すように内部の記憶領域に予め送信先のアクチュエータ監視機器２０のＩＤと、当該アクチュエータ監視機器２０のアクチュエータを起動させるための制御情報と閾値とを記憶している。センサ監視機器１０からセキュリティ管理サーバ装置７０が異常情報を受信するまでの処理は図６で説明した処理の通りである。
【００６４】
セキュリティ管理サーバ装置７０の通信選択部７１は、無線通信管理サーバ装置６０の通信選択部６１から受信した異常通知情報に含まれるＩＤを読み出し、読み出したＩＤに対応する監視制御部７５−１〜７５−ｎの参照情報を対応機能記憶部７２から読み出す。ここでは、監視制御部７５−２の参照情報が読み出されることになる。そして、通信選択部７１は、監視制御部７５−２へ異常通知情報を送信する。監視制御部７５−２は、異常通知情報を受信すると（ステップＳｅ１）、異常通知情報に含まれる異常情報が示す値が内部に記憶している閾値を超えているか否かを判定する（ステップＳｅ２）。監視制御部７５−２は、異常通知情報に含まれる異常情報が示す値が内部に記憶している閾値を超えている場合、内部に記憶している送信先のアクチュエータ監視機器のＩＤ及び制御情報を読み出す（ステップＳｅ３）。監視制御部７５−２は、読み出したＩＤと制御情報を通信選択部７１へ送信する（ステップＳｅ４）。通信選択部７１は、受信したＩＤと制御情報を無線通信管理サーバ装置６０の通信選択部６１に送信する（ステップＳｅ５）。無線通信管理サーバ装置６０の通信選択部６１は、通信選択部７１から受信したＩＤに対応する基地局装置アドレスを基地局装置アドレス記憶部６２から読み出し、読み出した基地局装置アドレスの基地局装置５０へＩＤと制御情報を含む情報を送信する。
【００６５】
基地局装置５０の通信部５２は、通信選択部６１からＩＤと制御情報を含む情報を受信すると無線通信部５１に入力し、無線通信部５１は、ＩＤと制御情報を含む無線信号を送信する。アクチュエータ監視機器２０は、基地局装置５０から送信される無線信号を受信し、受信した無線信号に含まれるＩＤが自機器のＩＤと一致するか否かを判定し、自機器のＩＤと一致する場合、無線信号に含まれる制御情報をアクチュエータ制御部２１に入力する。アクチュエータ制御部２１は、入力される制御情報に基づいてアクチュエータを起動する。
【００６６】
一方、ステップＳｅ２において監視制御部７５−１は、異常通知情報に含まれる異常情報が示す値が内部に記憶している閾値を超えていない場合、そのまま終了する。
【００６７】
上記の処理により、セキュリティ管理サーバ装置７０は、センサ監視機器１０が検出した異常情報に基づいて、当該センサ監視機器１０に対応するアクチュエータ監視機器２０のアクチュエータを起動させることができ、センサ監視機器１０によって検出された異常を回避することが可能となる。
【００６８】
図９は、図１に示す監視制御部７５−ｎの処理を示したフローチャートである。監視制御部７５−ｎは、図１に示すように内部の記憶領域に、過去に受信した異常情報を順次記録した履歴情報を有している。また、図１には示していないが、監視制御部７５−ｎは、監視制御部７５−１が記憶している電子メールアドレスの情報、あるいは監視制御部７５−２が記憶しているＩＤと制御情報の情報を記憶している。センサ監視機器１０からセキュリティ管理サーバ装置７０が異常情報を受信するまでの処理は図６に説明した通りである。
【００６９】
セキュリティ管理サーバ装置７０の通信選択部７１は、無線通信管理サーバ装置６０の通信選択部６１から受信した異常通知情報に含まれるＩＤを読み出し、読み出したＩＤに対応する監視制御部７５−１〜７５−ｎの参照情報を対応機能記憶部７２から読み出す。ここでは、監視制御部７５−ｎの参照情報が読み出されることになる。そして、通信選択部７１は、監視制御部７５−ｎへ異常通知情報を送信する。監視制御部７５−ｎは、異常通知情報を受信すると（ステップＳｆ１）、異常通知情報に含まれる異常情報が示す値と内部に記憶している履歴情報とが所定の条件を満たすか否かを判定する（ステップＳｆ２）。例えば、所定の条件として、通信選択部７１から受信した異常通知情報に含まれる異常情報が示す値が履歴情報の異常情報が示す値の平均値以下となっていることを適用することができる。所定の条件を満たす場合には、監視制御部７５−ｎは、所定の処理を行う（ステップＳｆ３）。ここで、所定の処理とは、上述した監視制御部７５−１のように電子メールアドレスを記憶している場合には、当該電子メールアドレスを送信先として異常を示す情報を電子メールにて送信する処理等が該当し、また、監視制御部７５−２のようにＩＤと制御情報を記憶している場合には、ＩＤと制御情報を通信選択部７１に送信する処理等が該当する
【００７０】
上記の処理により、セキュリティ管理サーバ装置７０は、センサ監視機器１０が検出した異常情報と過去の異常情報とに基づいてセンサ監視機器１０によって検出された異常を回避させる処理を行うことが可能となる。
【００７１】
なお、図７から図９の処理において、監視制御部７５−１〜７５−ｎは、複数のセンサ監視機器から得られる異常情報に基づいて異常を回避するための監視処理を行うようにしてもよい。
【００７２】
また、図７及び図８の処理において、判定のための基準となる判定情報として閾値を用いていたが、判定情報としては閾値に限られず、例えば、異常情報がマグネットセンサ等の扉の開閉を検出するようなものである場合には、異常情報は値ではなく「開いている状態」か「閉じている状態」のいずれかとなるため、扉が開いていることを異常とする場合には、判定情報としては「開いている状態」を設定することになる。
【００７３】
上記の第１実施形態の構成により、主装置に相当する機能を管理サーバシステム２００に備えるようにしたため、宅内１００に主装置を配置する必要がなくなる。また、センサ監視機器１０は、無線信号により検出した異常情報を送信し、アクチュエータ監視機器２０は、無線信号にて受信した制御情報に基づいてアクチュエータ制御部２１を起動させるため、有線での配線が不要となり、宅内１００にて容易に配置することができ、一度配置を行った後であっても容易に配置を変更することが可能である。
【００７４】
また、さらに、主装置に相当する機能を管理サーバシステム２００に備えるようにしたことから、センサ監視機器１０やアクチュエータ監視機器２０の数や種類の変更を容易にすることを可能としている。具体的には、ユーザがセンサ監視機器１０やアクチュエータ監視機器２０の数や種類の変更、あるいは新規の監視機器の追加がユーザから要求された場合であっても、セキュリティ管理サーバ装置７０の監視制御部７５−１〜７５−ｎを追加変更するだけで当該要求に容易に対応することが可能となる。
【００７５】
なお、上述したように監視制御部７５−１〜７５−ｎがコンピュータプログラムで構成されている場合には、上記の変更は監視制御部７５−１〜７５−ｎが読み取る設定ファイルの修正や、実行ファイルに対してパッチをあてる処理を、ユーザや管理サーバシステム２００の管理者が行うことで実現することができる。こうした変更処理は、セキュリティ管理サーバ装置７０においてＷｅｂサーバやＴｅｌｎｅｔサーバなどを立ち上げておけば、ＨＴＴＰ（HyperText Transfer Protocol）やＴｅｌｎｅｔといったプロトコルを利用して遠隔操作により実現することも可能である。
【００７６】
（第２実施形態）
次に、図１０から図１２を参照して本発明の第２実施形態のセキュリティシステム２について説明する。第２実施形態のセキュリティシステム２では、予め宅内１００を複数のエリアに区分しておき、センサ監視機器１０により異常情報が検出された際に、当該センサ監視機器１０が存在するエリアに応じて異常を回避するための処理を設定することを可能としている。なお、図１０のセキュリティシステム２の概略ブロック図において、第１実施形態のセキュリティシステム１と同じ構成については同じ符号を付し、以下異なる構成について説明する。
【００７７】
第２実施形態の管理サーバシステム２００ａにおけるセキュリティ管理サーバ装置７０ａは、第１実施形態では監視制御部７５−１〜７５−ｎに相当する個別監視制御部７５ａ−１〜７５ａ−ｎを備えている。個別監視制御部７５ａ−１〜７５ａ−ｎは、通信選択部７１から受信する異常通知情報に対応する通報種別情報を内部の記憶領域から読み出し、内部に備えられる時計などの計時手段から発生時間情報を取得し、自らの参照情報と通報種別情報と発生時間情報と異常情報とを含む通報内容情報を後述するエリアセキュリティ部７６に送信する。また、個別監視制御部７５ａ−１〜７５ａ−ｎは、エリアセキュリティ部７６から送信される上記の通報内容情報を受信し、当該通報内容情報に応じて第１実施形態の監視制御部７５−１〜７５−ｎにより実行される処理である電子メールの送信の処理や、ＩＤと制御情報を含む情報を無線通信管理サーバ装置６０及び基地局装置５０を介してアクチュエータ監視機器２０に送信する処理などを行う。ここで、上記の内部の記憶領域に記憶される通報種別情報は、予めセンサ監視機器１０のＩＤに対応して内部の記憶領域に記憶されており、その内容としては、当該センサ監視機器１０の監視対象を示す文字列や識別情報が適用されることになる。具体的には、異常通知情報を送信したセンサ監視機器１０が、不審人物の侵入を検出するセンサである場合、その状態を示す文字列である「不審人物」が記憶されることになる。
【００７８】
対応機能記憶部７２ａは、第１実施形態の対応機能記憶部７２と同じデータ構成を有しており、センサ監視機器１０のＩＤに対応する個別監視制御部７５ａ−１〜７５ａ−ｎの参照情報が対応付けて記憶する。なお、第１実施形態では、全ての監視制御部７５−１〜７５−ｎの参照情報がいずれかのＩＤに対応付けられていたが、第２実施形態では、センサ監視機器１０が異常情報を検出した際に通信選択部７１から受信する異常通知情報に基づいて処理する以外に、エリアセキュリティ部７６から受信する通報内容情報に基づいて処理する個別監視制御部７５ａ−１〜７５ａ−ｎが存在するため、個別監視制御部７５ａ−１〜７５ａ−ｎの全部あるいは一部がＩＤに対応付けられることにある。
【００７９】
通報種別管理記憶部７８は、図１１（ｂ）に示すようにエリアごとに設けられる複数の通報種別管理テーブルを記憶しており、各通報種別管理テーブルには、「通報種別」の項目と「個別監視制御部の参照情報」の項目を有している。「通報種別」には、上述した個別監視制御部７５ａ−１〜７５ａ−ｎから出力される通報種別情報が予め設定される。「個別監視制御部の参照情報」には、通報種別情報に対応して処理をさせる個別監視制御部７５ａ−１〜７５ａ−ｎの参照情報が予め設定される。
【００８０】
所属エリア記憶部７７は、図１１（ａ）に示すデータ構成を有しており、個別監視制御部７５ａ−１〜７５ａ−ｎの参照情報と、所属エリア、すなわち宅内１００の区分されたエリアに対応付けられる通報種別管理テーブルの参照情報とを対応付けて記憶する。ここで、通報種別管理テーブルの参照情報には、通報種別管理記憶部７８に記憶される複数の通報種別管理テーブルのそれぞれが記憶される先頭アドレスなどが適用される。
【００８１】
エリアセキュリティ部７６は、個別監視制御部７５ａ−１〜７５ａ−ｎから送信される通報内容情報を受信し、受信した通報内容情報に含まれる参照情報に対応する通報種別管理テーブルの参照情報を所属エリア記憶部７７から読み出す。また、エリアセキュリティ部７６は、読み出した参照情報に対応する通報種別管理テーブルから当該通報種別情報に対応する個別監視制御部７５ａ−１〜７５ａ−ｎの参照情報を読み出し、読み出した参照情報に対応する個別監視制御部７５ａ−１〜７５ａ−ｎに通報内容情報を送信する。
【００８２】
次に、図１２を参照しつつ第２実施形態のセキュリティシステム２の処理について説明する。まず、センサ監視機器１０が異常情報を検出し、第１実施形態の図６に相当する処理が行われた後、セキュリティ管理サーバ装置７０ａの通信選択部７１が当該異常情報を含む異常通知情報を受信する。通信選択部７１は、受信した異常通知情報に含まれるＩＤから対応する個別監視制御部７５ａ−１〜７５ａ−ｎの参照情報を対応機能記憶部７２ａから読み出し、読み出した参照情報に対応する個別監視制御部７５ａ−１〜７５ａ−ｎに異常通知情報を送信する。
【００８３】
個別監視制御部７５ａ−１〜７５ａ−ｎは、受信した異常通知情報に対応する通報種別情報を内部の記憶領域から読み出し、受信した際の時間情報である発生時間情報を計時手段から取得し、通報種別情報と発生時間情報と自らの参照情報と異常通知情報とを含む通報内容情報をエリアセキュリティ部７６に送信する（ステップＳｇ１）。エリアセキュリティ部７６は、受信した通報内容情報に含まれる送信元の個別監視制御部７５ａ−１〜７５ａ−ｎの参照情報に対応する通報種別管理テーブルの参照情報を所属エリア記憶部７７から読み出す（ステップＳｇ２）。エリアセキュリティ部７６は、読み出した参照情報に対応する通報種別管理テーブルを通報種別管理記憶部７８にて参照し、通報内容情報に含まれる通報種別情報に対応する個別監視制御部７５ａ−１〜７５ａ−ｎの参照情報を読み出す（ステップＳｇ３）。そして、エリアセキュリティ部７６は、読み出した参照情報に対応する個別監視制御部７５ａ−１〜７５ａ−ｎに通報内容情報を送信する（ステップＳｇ４）。当該通報内容情報を受信した個別監視制御部７５ａ−１〜７５ａ−ｎは、通報内容情報に含まれる通報種別情報や発生時間情報や異常通知情報に含まれる異常情報に基づいて、異常を回避する処理、すなわち異常を示す情報を電子メールで送信する処理や、アクチュエータ監視機器２０のアクチュエータ制御部２１を起動させる処理を行う。
【００８４】
なお、第２実施形態の構成において、上述したエリアは宅内１００の内部のみに限られず、例えば、複数の住宅が存在する場合には、複数の住宅のいくつかに跨って処理が行われてもよい。具体的には、ある宅内のセンサ監視機器１０にて侵入者の存在が検出された際、その周辺の住宅のアクチュエータ監視機器２０により警報ブザーを鳴動させる等の処理を行うようにしてもよい。
【００８５】
さらに、個別監視制御部７５ａ−１〜７５ａ−ｎに、他の個別監視制御部へのセンサ情報転送機能、他の個別監視制御部からのセンサ情報転送要求受付機能を加えても良い。これにより、あるセンサ監視機器１０からのセンサ情報によって、対応する個別監視制御部にて侵入者が存在しているかもしれない、ということが検出された際、エリア内の他のセンタに対応する個別監視制御部にセンサ情報の転送を依頼することができるようになり、エリア内の他のセンサからの情報を取得し、侵入者の存否についてより正確に検知することができるようになる。
【００８６】
上記の処理により、セキュリティシステム２は、異常情報がセンサ監視機器１０によって検出された際に行う処理を、処理単位で個別監視制御部７５ａ−１〜７５ａ−ｎに構成しておくことができる。そのため、個別監視制御部７５ａ−１〜７５ａ−ｎを追加するだけで新たな機能を追加でき、また、処理単位に分けられているため機能の変更も容易に行うことが可能となる。
【００８７】
また、セキュリティシステム２は、宅内１００のエリアに応じて、異常情報が検出された際に、当該異常情報に対応する通報種別情報ごとに実行させる個別監視制御部７５ａ−１〜７５ａ−ｎを所属エリア記憶部７７及び通報種別管理記憶部７８に予め設定することが可能となる。これにより、セキュリティ管理サーバ装置７０ａの個別監視制御部７５ａ−１〜７５ａ−ｎの機能を変更するだけで、宅内１００におけるセキュリティサービスの種類などを柔軟に変更することが可能となる。
【００８８】
（第３実施形態）
次に、図１３から図１６を参照しつつ第３実施形態のセキュリティシステム３について説明する。第３実施形態のセキュリティシステム３は、第２実施形態のセキュリティシステム２と同じく、予め宅内１００を複数のエリアに区分しておき、センサ監視機器１０により異常情報が検出された際に、当該センサ監視機器１０が存在するエリアに応じて異常を回避するための処理を行うシステムである。
【００８９】
しかし、第２実施形態のように所属するエリアを予め設定しておくのではなく、センサ監視機器１０やアクチュエータ監視機器２０の実際の位置情報に基づいて実行させる点で第２実施形態のセキュリティシステム２と構成が異なる。なお、図１３のセキュリティシステム３の概略ブロック図において、第１実施形態のセキュリティシステム１及び第２実施形態のセキュリティシステム２と同じ構成及び機能については同じ符号を付し、以下異なる構成について説明する。
【００９０】
第３実施形態のセキュリティシステム３では、複数の基地局装置５０ａ、５０ｂを備えている。各基地局装置５０ａ、５０ｂは、それぞれ無線通信部５１ａ、５１ｂと、通信部５２ａ、５２ｂを備えている。無線通信部５１ａ、５１ｂは、センサ監視機器１０及びアクチュエータ監視機器２０との間で無線信号による通信を行い、センサ監視機器１０及びアクチュエータ監視機器２０から登録要求情報を無線信号にて受信した際、無線信号の受信強度値を計測し、また、内部に備えた時計などの計時手段から時間情報を取得し、受信強度値と時間情報と無線信号に含まれる登録要求情報とをそれぞれの通信部５２ａ、５２ｂに入力する。通信部５２ａ、５２ｂは、対応する無線通信部５１ａ、５１ｂから受信強度値と時間情報と登録要求情報が入力されると、受信強度値と時間情報と登録要求情報に自らの基地局装置アドレスを付加して無線通信管理サーバ装置６０ｂの通信選択部６１ｂに送信する。
【００９１】
無線通信管理サーバ装置６０ｂは、通信選択部６１ｂに構成が追加され、測位部６５、基地局装置位置記憶部６６、監視機器位置記憶部６７を新たに備えている。無線通信管理サーバ装置６０ｂにおいて、通信選択部６１ｂは、複数の基地局装置５０ａ、５０ｂと測位部６５とセキュリティ管理サーバ装置７０ｂの通信選択部７１ｂとに接続される。また、通信選択部６１ｂは、基地局装置５０ａ、５０ｂから登録要求情報と受信強度値と時間情報と基地局装置アドレスとを含む情報を受信した際、受信した情報を測位部６５に送信する。また、通信選択部６１ｂは、通信選択部７１ｂを介してエリアセキュリティ部７６ｂから異常情報の送信元のセンサ監視機器１０のＩＤを含む検索要求を受信すると、監視機器位置記憶部６７から、当該ＩＤのセンサ監視機器１０から一定の距離の範囲内に存在するアクチュエータ監視機器２０のＩＤを検索して読み出し、読み出したＩＤを含む検索結果を通信選択部７１ｂを介してエリアセキュリティ部７６ｂに送信する。
【００９２】
ここで、一定の距離の範囲とは、宅内１００において予め区切られたエリアにセンサ監視機器１０を配置した場合に、当該センサ監視機器１０が検出した異常情報に応じて動作させたいアクチュエータ監視機器の配置位置を含むような範囲のことであり、具体的には、センサ監視機器１０の座標を（Ｘ、Ｙ）とすると、（Ｘ、Ｙ）を中心とする半径ｔの円の範囲、あるいは（Ｘ−ｔ、Ｙ−ｔ）、（Ｘ−ｔ、Ｙ＋ｔ）、（Ｘ＋ｔ、Ｙ−ｔ）、（Ｘ＋ｔ、Ｙ＋ｔ）を頂点とする正方形の範囲等で設定を行う。
【００９３】
また、監視機器位置記憶部６７には、センサ監視機器１０のＩＤとアクチュエータ監視機器２０のＩＤとが混在して記録されるが、例えば、センサ監視機器１０のＩＤの値の範囲とアクチュエータ監視機器２０のＩＤの値の範囲を予め分けておくことで、アクチュエータ監視機器２０のみを検索するようにしてもよい。
【００９４】
基地局装置位置記憶部６６は、図１４（ａ）に示すデータ構成を有しており、基地局装置アドレスごとに、絶対位置情報である緯度と経度の情報が予め記憶される。
【００９５】
測位部６５は、通信選択部６１ｂから受信強度値と時間情報と登録要求情報と基地局装置アドレスを受信すると、同一のセンサ監視機器１０のＩＤを含む登録要求情報であって他の基地局装置アドレスが対応付けられている情報を受信するまで待機する。また、測位部６５は、複数の受信強度値と時間情報と登録要求情報と基地局装置アドレスの組み合わせの情報を受信すると、受信した複数の受信強度値と、その受信強度値に対応する時間情報とに基づいて基地局装置５０ａ、５０ｂの位置を基準とした相対的なセンサ監視機器１０の位置情報を算出する。また、測位部６５は、基地局装置位置記憶部６６から受信した基地局装置アドレスに対応する各基地局装置５０ａ、５０ｂの緯度と経度を含む絶対位置情報を読み出し、読み出した絶対位置情報と相対的なセンサ監視機器１０の位置情報に基づいてセンサ監視機器１０の絶対位置情報を算出し、算出した絶対位置情報を登録要求情報に含まれるＩＤに対応付けて図１４（ｂ）に示すように監視機器位置記憶部６７に記録する。
【００９６】
第３実施形態の通報種別管理記憶部７８ｂは、第２実施形態の通報種別管理記憶部７８と異なり、図１４（ｃ）に示すように１つの通信種別管理テーブルを記憶している。通信選択部７１ｂは、無線通信管理サーバ装置６０ｂの通信選択部６１ｂから異常通知情報を受信すると、異常通知情報に含まれるＩＤに対応する個別監視制御部７５ａ−１〜７５ａ−ｎの参照情報を読み出し、読み出した参照情報に対応する個別監視制御部７５ａ−１〜７５ａ−ｎに、異常通知情報を送信する。また、通信選択部７１ｂは、エリアセキュリティ部７６ｂに接続され、エリアセキュリティ部７６ｂからの検索要求を無線通信管理サーバ装置６０ｂの通信選択部６１ｂに送信し、その検索結果を通信選択部６１ｂから受信するとエリアセキュリティ部７６ｂに検索結果を送信する。
【００９７】
エリアセキュリティ部７６ｂは、個別監視制御部７５ａ−１〜７５ａ−ｎから通信内容情報を受信すると、通信内容情報に含まれる通報種別情報に基づいて通報種別管理記憶部７８ｂから対応する個別監視制御部７５ａ−１〜７５ａ−ｎの参照情報を読み出す。また、エリアセキュリティ部７６ｂは、個別監視制御部７５ａ−１〜７５ａ−ｎから受信する通信内容情報の異常通知情報から送信元のセンサ監視機器１０のＩＤを読み出し、読み出したＩＤを含む検索要求を通信選択部７１ｂを介して無線通信管理サーバ装置６０ｂの通信選択部６１ｂに送信し、当該通信選択部６１ｂからアクチュエータ監視機器２０のＩＤのリストを含む検索結果を受信する。また、エリアセキュリティ部７６ｂは、無線通信管理サーバ装置６０ｂの通信選択部６１ｂから受信するアクチュエータ監視機器２０のＩＤに対応する個別監視制御部７５ａ−１〜７５ａ−ｎの参照情報を対応機能記憶部７２ａから読み出し、読み出した参照情報であって、かつ上記の通報種別管理記憶部７８ｂから読み出した個別監視制御部７５ａ−１〜７５ａ−ｎの参照情報である参照情報を選択し、選択した参照情報の個別監視制御部７５ａ−１〜７５ａ−ｎに通報内容情報を送信する。
【００９８】
次に、図１５を参照しつつ第３実施形態の無線通信管理サーバ装置６０ｂの測位部６５の処理について説明する。ここでは、例としてセンサ監視機器１０の絶対位置情報の測位について説明するが、アクチュエータ監視機器２０についても同様の処理により測位することが可能である。
【００９９】
まず、基地局装置５０ａは、センサ監視機器１０から定期的に送信される登録要求情報を無線信号にて受信する。基地局装置５０ａの無線通信部５１ａは、受信した無線信号の受信強度値を計測し、また、内部に備えた計時手段から時間情報を取得し、受信強度値と時間情報と無線信号に含まれる登録要求情報とを通信部５２ａに入力する。通信部５２ａは、受信強度値と時間情報と登録要求情報が入力されると、これらの情報に自らの基地局装置アドレスを付加して無線通信管理サーバ装置６０ｂの通信選択部６１ｂに送信する。通信選択部６１ｂは、受信した情報に登録要求情報が含まれているため、受信した情報を測位部６５に送信しつつ、受信した登録要求情報に含まれるＩＤと受信した基地局装置アドレスを対応付けて基地局装置アドレス記憶部６２に記録する。
【０１００】
測位部６５は、通信選択部６１ｂから受信強度値と時間情報と登録要求情報と基地局装置アドレスを受信すると、登録要求情報に含まれるセンサ監視機器１０のＩＤを読み出し、当該ＩＤと同じＩＤを含む登録要求情報であって基地局装置アドレスが異なる情報を通信選択部６１ｂから受信するのを待機する。
【０１０１】
基地局装置５０ｂが、基地局装置５０ａと同様にセンサ監視機器１０の無線信号を受信することにより、測位部６５は、通信選択部６１ｂから受信強度値と時間情報と登録要求情報と基地局装置５０ｂの基地局装置アドレスを受信する。
【０１０２】
待機中に基地局装置５０ｂからの情報を受信した測位部６５は、基地局装置５０ａ及び５０ｂを送信元とする複数の受信強度値と、その受信強度値に対応する時間情報とに基づいて基地局装置５０ａ、５０ｂの位置を基準とした相対的なセンサ監視機器１０の位置情報を算出する（ステップＳｈ１）。次に、測位部６５は、基地局装置位置記憶部６６から受信した基地局装置アドレスに対応する各基地局装置５０ａ、５０ｂの緯度と経度を含む絶対位置情報を読み出し、読み出した絶対位置情報と相対的なセンサ監視機器１０の位置情報に基づいてセンサ監視機器１０の絶対位置情報を算出する（ステップＳｈ２）。そして、測位部６５は、算出した絶対位置情報を登録要求情報に含まれるセンサ監視機器１０のＩＤに対応付けて監視機器位置記憶部６７に記録する（ステップＳｈ３）。
【０１０３】
上記の処理により、無線通信管理サーバ装置６０ｂは、センサ監視機器１０及びアクチュエータ監視機器２０が送信する登録要求情報の無線信号に基づいて、センサ監視機器１０及びアクチュエータ監視機器２０の絶対位置情報を算出することが可能となる。また、登録要求情報は定期的に送信されるため、センサ監視機器１０及びアクチュエータ監視機器２０の位置が変更されたとしても、変更後の絶対位置情報を少なくとも登録要求情報の定期的な送信の送信間隔後には監視機器位置記憶部６７に記録しておくことができるため、後述する通信選択部６１ｂの検索処理において検索の基準となるセンサ監視機器１０から常に一定の距離の範囲に存在するアクチュエータ監視機器２０を検索することが可能となる。
【０１０４】
次に、図１６を参照しつつ第３実施形態のセキュリティ管理サーバ装置７０ｂの処理について説明する。第２実施形態と同様の処理を経て、個別監視制御部７５ａ−１〜７５ａ−ｎが通報種別情報を内部の記憶領域から読み出し、読み出した通報種別情報と発生時間情報と自らの参照情報と異常通知情報をエリアセキュリティ部７６ｂに送信する（ステップＳｉ１）。
【０１０５】
エリアセキュリティ部７６ｂは、受信した通信内容情報に含まれる通報種別情報に基づいて通報種別管理記憶部７８ｂから対応する個別監視制御部７５ａ−１〜７５ａ−ｎの参照情報を読み出す。ここで、読み出した個別監視制御部７５ａ−１〜７５ａ−ｎの参照情報のリストをリスト１とする（ステップＳｉ２）。また、エリアセキュリティ部７６ｂは、個別監視制御部７５ａ−１〜７５ａ−ｎから受信する通信内容情報の異常通知情報から送信元のセンサ監視機器１０のＩＤを読み出し、読み出したＩＤを含む検索要求を通信選択部７１ｂを介して無線通信管理サーバ装置６０ｂの通信選択部６１ｂに送信する（ステップＳｉ３）。
【０１０６】
通信選択部６１ｂは、通信選択部７１ｂを介してエリアセキュリティ部７６ｂから異常情報の送信元のセンサ監視機器１０のＩＤを含む検索要求を受信すると、監視機器位置記憶部６７から、当該ＩＤのセンサ監視機器１０から一定の距離の範囲内に存在するアクチュエータ監視機器２０のＩＤを検索して読み出し、読み出したＩＤを含む検索結果を通信選択部７１ｂを介してエリアセキュリティ部７６ｂに送信する（ステップＳｉ４）。
【０１０７】
エリアセキュリティ部７６ｂは、通信選択部６１ｂからアクチュエータ監視機器２０のＩＤのリストを含む検索結果を受信すると、受信したＩＤに対応する個別監視制御部７５ａ−１〜７５ａ−ｎの参照情報を対応機能記憶部７２ａから読み出す。ここで、読み出した個別監視制御部７５ａ−１〜７５ａ−ｎの参照情報のリストをリスト２とする（ステップＳｉ５）。
【０１０８】
エリアセキュリティ部７６ｂは、上記のリスト１及びリスト２の両方に含まれている参照情報を選択し、選択した参照情報の個別監視制御部７５ａ−１〜７５ａ−ｎに通報内容情報を送信する（ステップＳｉ６）。当該通報内容情報を受信した個別監視制御部７５ａ−１〜７５ａ−ｎは、通報内容情報に含まれる通報種別情報や発生時間情報や異常通知情報に含まれる異常情報に基づいて、異常を示す情報を電子メールで送信する処理や、アクチュエータ監視機器２０のアクチュエータを起動させる処理を行う。
【０１０９】
なお、第３実施形態の構成において、上述したエリアは宅内１００の内部のエリアに限られず、例えば、複数の住宅が存在する場合には、複数の住宅のいくつかに跨って処理が行われてもよい。具体的には、ある宅内のセンサ監視機器１０にて侵入者の存在が検出された際、その周辺の住宅のアクチュエータ監視機器２０により警報ブザーを鳴動させる等の処理を行うようにしてもよい。
【０１１０】
また、第３実施形態の測位部６５は、受信強度値と時間情報とに基づいてセンサ監視機器１０及びアクチュエータ監視機器２０の位置情報を検出するようにしているが、本発明は当該実施形態に限られず、例えば、受信強度値、あるいは時間情報のいずれか一方のみを用いて測位することも可能である。また、測位部６５ではなく、センサ監視機器１０及びアクチュエータ監視機器２０にＧＰＳ（Global Positioning System）やジャイロ等のデバイスを備えさせ、当該デバイスにより検出された位置情報を用いるようにすることも可能である。
【０１１１】
上記の処理により、セキュリティシステム３は、センサ監視機器１０やアクチュエータ監視機器２０の配置が変更された場合であっても、センサ監視機器１０やアクチュエータ監視機器２０から送信される登録要求情報の無線信号に基づいて絶対位置情報を検出することができる。これにより、予めセンサ監視機器１０とアクチュエータ監視機器２０の配置に基づいてセキュリティサービスの処理を設定する必要はなく、異常を検出したセンサ監視機器１０から一定の距離の範囲に存在するアクチュエータ監視機器２０に対して異常を回避させるための処理を行わせることが可能となる。
【０１１２】
なお、本発明のセキュリティシステムは、上述したセキュリティシステム１、２、３に対応する。また、本発明の管理サーバ装置は、管理サーバシステム２００、２００ａ、２００ｂに対応する。また、本発明の監視制御手段は、監視制御部７５−１〜７５−ｎ及び個別監視制御部７５ａ−１〜７５ａ−ｎに対応し、対応機能記憶手段は、対応機能記憶部７２、７２ａに対応し、通信選択手段は、セキュリティ管理サーバ装置の通信選択部７１、７１ｂに対応する。また、本発明の無線通信管理手段は、管理サーバシステムの無線通信管理サーバ装置６０、６０ｂに対応する。また、本発明の所属エリア記憶手段は、所属エリア記憶部７７に対応し、通報種別管理記憶手段は、通報種別管理記憶部７８、７８ｂに対応する。また、本発明の測位手段は、測位部６５に対応する。また、本発明のエリアセキュリティ手段は、エリアセキュリティ部７６、７６ｂに対応する。
【０１１３】
上述の第１実施形態、第２実施形態、第３実施形態の管理サーバシステムの無線通信管理サーバ装置及びセキュリティ管理サーバ装置は内部に、コンピュータシステムを有している。そして、上述した無線通信管理サーバ装置の通信選択部、測位部及びセキュリティ管理サーバ装置の通信選択部、監視制御部、個別監視制御部、エリアセキュリティ部の処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【０１１４】
【図１】本発明の第１実施形態におけるセキュリティシステムの構成を示す概略ブロック図である。
【図２】第１実施形態の宅内におけるセンサ監視機器の具体例を示した図である。
【図３】第１実施形態における記憶部のデータ構成を示した図である。
【図４】第１実施形態における基地局装置の処理を示したフローチャートである。
【図５】第１実施形態における無線通信管理サーバ装置の処理を示したフローチャートである。
【図６】第１実施形態における異常情報がセキュリティ管理サーバ装置に送信されるまでの処理を示したフローチャートである。
【図７】第１実施形態における監視制御部の処理（その１）を示したフローチャートである。
【図８】第１実施形態における監視制御部の処理（その２）を示したフローチャートである。
【図９】第１実施形態における監視制御部の処理（その３）を示したフローチャートである。
【図１０】本発明の第２実施形態におけるセキュリティシステムの構成を示す概略ブロック図である。
【図１１】第２実施形態における記憶部のデータ構成を示した図である。
【図１２】第２実施形態におけるセキュリティ管理サーバ装置の処理を示したフローチャートである。
【図１３】本発明の第３実施形態におけるセキュリティシステムの構成を示す概略ブロック図である。
【図１４】第３実施形態における記憶部のデータ構成を示した図である。
【図１５】第２実施形態における測位部の処理を示したフローチャートである。
【図１６】第２実施形態におけるセキュリティ管理サーバ装置の処理を示したフローチャートである。
【符号の説明】
【０１１５】
１    セキュリティシステム
１０  センサ監視機器
１１  センサ制御部
１２  無線通信部
２０  アクチュエータ監視機器
２１  アクチュエータ制御部
２２  無線通信部
５０  基地局装置
５１  無線通信部
５２  通信部
２００  管理サーバシステム
６０  無線通信管理サーバ装置
６１  通信選択部
６２  基地局装置アドレス記憶部
６３  セキュリティ管理サーバ装置アドレス記憶部
７０  セキュリティ管理サーバ装置
７１  通信選択部
７２  対応機能記憶部
７５−１〜７５−ｎ  監視制御部
１００  宅内
【図１】
0004647537.tif 000002
【図２】
0004647537.tif 000003
【図３】
0004647537.tif 000004
【図４】
0004647537.tif 000005
【図５】
0004647537.tif 000006
【図６】
0004647537.tif 000007
【図７】
0004647537.tif 000008
【図８】
0004647537.tif 000009
【図９】
0004647537.tif 000010
【図１０】
0004647537.tif 000011
【図１１】
0004647537.tif 000012
【図１２】
0004647537.tif 000013
【図１３】
0004647537.tif 000014
【図１４】
0004647537.tif 000015
【図１５】
0004647537.tif 000016
【図１６】
0004647537.tif 000017